【手続補正書】
【提出日】平成26年7月17日(2014.7.17)
【手続補正１】
【補正対象書類名】特許請求の範囲
【補正対象項目名】全文
【補正方法】変更
【補正の内容】
【特許請求の範囲】
【請求項１】
対向する第１端（１８）と第２端（２０）との間で延在している管（１６）と、
管（１６）に動作可能に接続されており、かつ、管（１６）の第１端（１８）を超えて延在している第１針および第２針（２２）と、
管（１６）の第１端（１８）の近傍で管（１６）に動作可能に接続されているバンパー止め具（２６）と、
管（１６）を通じて延在している可動係合部材（３０）であって、可動係合部材（３０）が、管（１６）の第１端（１８）を超えて、かつ、第１針および第２針（２２）を超えて延在しているフック（３２）を含み、かつ、フック（３２）が、バンパー止め具（２６）と動作可能に接触するよう構成されている末端部（３４）を含む、可動係合部材（３０）と、
を含む電気プローブ（１０）。
【請求項２】
第１針および第２針（２２）にそれぞれ電気的に接続されている第１導体および第２導体（２４）であって、管（１６）に沿って延在している第１導体および第２導体（２４）をさらに含む請求項１に記載の電気プローブ（１０）。
【請求項３】
バンパー止め具（２６）が、管（１６）の第１端（１８）を超えて延在し、かつ、第１針および第２針（２２）がバンパー止め具（２６）を超えて延在するように、第１針および第２針（２２）ならびにバンパー止め具（２６）が管（１６）に動作可能に接続されている請求項１又は２に記載の電気プローブ（１０）。
【請求項４】
管（１６）の第２端（２０）の近傍に位置しており、かつ、フック（３２）を引っ張ってバンパー止め具（２６）と動作可能に係合させるよう構成されているばね（３８）をさらに含む請求項１から３のいずれか一項に記載の電気プローブ（１０）。
【請求項５】
可動係合部材（３０）が、プランジャー（３６）をさらに含み、ばね（３８）が、プランジャー（３６）と管（１６）の第２端（２０）との間に位置し、ばね（３８）がプランジャー（３６）と調整部材（４０）との間で延在するように、第２端（２０）の近傍で管（１６）上に調整可能に位置している調整部材（４０）を含み、管（１６）が非導電材料から構成され、可動係合部材（３０）が長尺部材（１６）に沿って長手方向に延在している請求項４に記載の電気プローブ（１０）。
【請求項６】
可動係合部材（３０）の一端（１８）の近傍のフック（３２）が、長尺部材（１６）の第１端（１８）に動作可能に接続されかつ前記第１端（１８）を超えて延在している第１針および第２針（２２）へ延在し、かつ、前記第１針および第２針（２２）に対するアクセスを提供するように、長尺部材（１６）に対して電気プローブ（１０）の可動係合部材（３０）を作動させること、
ワイヤ（１２）が第１針および第２針（２２）の近傍に位置するように、電気プローブ（１０）を位置付けること、
フック（３２）がワイヤ（１２）と接触して、第１針および第２針（２２）にワイヤ（１２）を貫通させるよう推進するように、長尺部材（１６）に対して可動係合部材（３０）を後退させること、および、
長尺部材（１６）の第１端（１８）の近傍で長尺部材（１６）に動作可能に接続されているバンパー止め具（２６）へのフック（３２）末端部（３４）による接触の結果、長尺部材（１６）に対する可動係合部材（３０）のさらなる後退を防ぐこと、
を含む方法。
【請求項７】
長尺部材（１６）に沿って延在する第１導体および第２導体（２４）をそれぞれ介して第１針および第２針（２２）との電気的接触を起こすことをさらに含む請求項６に記載の方法。
【請求項８】
第１導体および第２導体（２４）ならびに第１針および第２針（２２）を介してワイヤ（１２）を電気的に試験することをさらに含む請求項６又は７に記載の方法。
【請求項９】
長尺部材（１６）が、可動係合部材（３０）が延在している管（１６）を含み、可動係合部材（３０）を作動させることが、管（１６）を通じて第１方向に可動係合部材（３０）を摺動させることを含み、かつ、可動係合部材（３０）を後退させることが、管（１６）を通じて第１方向とは反対の第２方向に可動係合部材（３０）を摺動させることを含む請求項６から８のいずれか一項に記載の方法。
【請求項１０】
第１端（１８）と反対側の長尺部材（１６）の第２端（２０）の近傍にばね（３８）を位置させ、可動係合部材（３０）を後退させることが、長尺部材（１６）に対して後退するようにばね（３８）により可動係合部材（３０）を付勢することを含み、プランジャー（３６）と長尺部材（１６）の第２端（２０）との間にばね（３８）が位置している状態で可動係合部材（３０）がプランジャー（３６）を含み、かつ、可動係合部材（３０）を作動させることが、長尺部材（１６）に対してプランジャー（３６）を押し下げることを含む請求項９に記載の方法。
【手続補正２】
【補正対象書類名】明細書
【補正対象項目名】００１３
【補正方法】変更
【補正の内容】
【００１３】
態様１．  対向する第１端と第２端との間で延在している管と、
管に動作可能に接続されており、かつ、管の第１端を超えて延在している第１針および第２針と、
管の第１端の近傍で管に動作可能に接続されているバンパー止め具と、
管を通じて延在している可動係合部材であって、可動係合部材が、管の第１端を超えて、かつ、第１針および第２針を超えて延在しているフックを含み、かつ、フックが、バンパー止め具と動作可能に接触するよう構成されている末端部を含む、可動係合部材と、
を含む電気プローブ。
態様２．  第１針および第２針にそれぞれ電気的に接続されている第１導体および第２導体であって、管に沿って延在している第１導体および第２導体をさらに含む態様１に記載の電気プローブ。
態様３．  バンパー止め具が、管の第１端を超えて延在し、かつ、第１針および第２針がバンパー止め具を超えて延在するように、第１針および第２針ならびにバンパー止め具が管に動作可能に接続されている態様１に記載の電気プローブ。
態様４．  管の第２端の近傍に位置しており、かつ、フックを引っ張ってバンパー止め具と動作可能に係合させるよう構成されているばねをさらに含む態様１に記載の電気プローブ。
態様５．  可動係合部材が、プランジャーをさらに含み、かつ、ばねが、プランジャーと管の第２端との間に位置している態様４に記載の電気プローブ。
態様６．  ばねがプランジャーと調整部材との間で延在するように、第２端の近傍で管上に調整可能に位置している調整部材をさらに含む態様５に記載の電気プローブ。
態様７．  管が非導電材料から構成されている態様１に記載の電気プローブ。
態様８．  対向する第１端と第２端との間で延在している長尺部材と、
長尺部材に動作可能に接続されており、かつ、長尺部材の第１端を超えて延在している第１針および第２針と、
第１針および第２針にそれぞれ電気的に接続されている第１導体および第２導体であって、長尺部材に沿って延在している第１導体および第２導体と、
長尺部材の第１端の近傍で長尺部材に動作可能に接続されているバンパー止め具と、
長尺部材に沿って長手方向に延在している可動係合部材であって、長尺部材の第１端を超えて、かつ、第１針および第２針を超えて延在しているフックを含む可動係合部材と、
を含む電気プローブ。
態様９．  フックが、バンパー止め具と動作可能に接触するよう構成されている末端部を含む態様８に記載の電気プローブ。
態様１０．  バンパー止め具が、長尺部材の第１端を超えて延在し、かつ、第１針および第２針がバンパー止め具を超えて延在するように、第１針および第２針ならびにバンパー止め具が長尺部材に動作可能に接続されている態様８に記載の電気プローブ。
態様１１．  長尺部材の第２端の近傍に位置しており、かつ、フックを引っ張ってバンパー止め具と動作可能に係合させるよう構成されているばねをさらに含む態様８に記載の電気プローブ。
態様１２．  可動係合部材が、プランジャーをさらに含み、かつ、ばねが、プランジャーと長尺部材の第２端との間に位置している態様１１に記載の電気プローブ。
態様１３．  ばねがプランジャーと調整部材との間で延在するように、第２端の近傍で長尺部材上に調整可能に位置している調整部材をさらに含む態様１２に記載の電気プローブ。
態様１４．  長尺部材が非導電材料から構成されている態様８に記載の電気プローブ。
態様１５．  可動係合部材の一端の近傍のフックが、長尺部材の第１端に動作可能に接続されかつ前記第１端を超えて延在している第１針および第２針へ延在し、かつ、前記第１針および第２針に対するアクセスを提供するように、長尺部材に対して電気プローブの可動係合部材を作動させること、
ワイヤが第１針および第２針の近傍に位置するように、電気プローブを位置付けること、
フックがワイヤと接触して、第１針および第２針にワイヤを貫通させるよう推進するように、長尺部材に対して可動係合部材を後退させること、および、
長尺部材の第１端の近傍で長尺部材に動作可能に接続されているバンパーへのフック末端部による接触の結果、長尺部材に対する可動係合部材のさらなる後退を防ぐこと、
を含む方法。
態様１６．  長尺部材に沿って延在する第１導体および第２導体をそれぞれ介して第１針および第２針との電気的接触を起こすことをさらに含む態様１５に記載の方法。
態様１７．  第１導体および第２導体ならびに第１針および第２針を介してワイヤを電気的に試験することをさらに含む態様１６に記載の方法。
態様１８．  長尺部材が、可動係合部材が延在している管を含み、可動係合部材を作動させることが、管を通じて第１方向に可動係合部材を摺動させることを含み、かつ、可動係合部材を後退させることが、管を通じて第１方向とは反対の第２方向に可動係合部材を摺動させることを含む態様１５に記載の方法。
態様１９．  第１端と反対側の長尺部材の第２端の近傍にばねを位置させ、かつ、可動係合部材を後退させることが、長尺部材に対して後退するようにばねにより可動係合部材を付勢することを含む態様１５に記載の方法。
態様２０．  プランジャーと長尺部材の第２端との間にばねが位置している状態で可動係合部材がプランジャーを含み、かつ、可動係合部材を作動させることが、長尺部材に対してプランジャーを押し下げることを含む態様１９に記載の方法。